(57)【要約】【課題】軒先構造や軒樋の取付位置、水切り部材の先端位置が異なっても１つの同じ吊り具で対応すること。【解決手段】破風部材１４に取り付けるための取付板部５１と、取付板部５１から破風部材１４から離間する方向に延設された支持アーム５２と、支持アーム５２の両端側にそれぞれ設けられ、それぞれ軒樋２０の前縁係合部２２と後縁係合部２３とを係止する前縁係止部５４及び後縁係止部５３と、支持アーム５２に、破風部材１４に対して垂直方向に形成された長孔５５と、長孔５５に沿って往復動自在にスライダ５６と、スライダ５６に設けられ、水切り部材３０の下端が挿入されるガイド５７と、スライダ５６を長孔５５３の任意の位置に固定するボルト・ナット５８とを備えている。【選択図】図１
2008174945.tif 000002
【特許請求の範囲】
【請求項１】
破風部材に取り付けるための取付板部と、
この取付板部から前記破風部材から離間する方向に延設された支持アームと、
この支持アームの両端側にそれぞれ設けられ、それぞれ軒樋の前縁と後縁とを係止する係止部と、
前記支持アームに、前記破風部材に対して垂直方向に形成された長孔と、
この長孔に沿って往復動自在にスライダと、
このスライダに設けられ、水切り部材の下端が挿入されるガイドと、
前記スライダを前記長孔の任意の位置に固定する固定部材とを備えていることを特徴とする軒樋用吊り具。
【請求項２】
鉛直方向に配置された破風部材と、
この破風部材の上部に設けられた野地板と、
この野地板の上部に設けられた屋根仕上材と、
その上端側を前記野地板と前記屋根仕上材との間に配置され、その下端側を軒先に向けて突出させた配置された水切り部材と、
前記破風部材の外壁側に配置された軒樋と、
前記破風部材に設けられ、前記水切り部材の下端と支持するとともに、前記軒樋を支持する軒樋用吊り具を具備し、
前記軒樋用吊り具は、前記破風部材に取り付けるための取付板部と、
この取付板部から前記破風部材から離間する方向に延設された支持アームと、
この支持アームの両端側にそれぞれ設けられ、それぞれ軒樋の前縁と後縁とを係止する係止部と、
前記支持アームに、前記破風部材に対して垂直方向に形成された長孔と、
この長孔に沿って往復動自在にスライダと、
このスライダに設けられ、水切り部材の下端が挿入されるガイドと、
前記スライダを前記長孔の任意の位置に固定する固定部材とを備えていることを特徴とする軒先構造。
【発明の詳細な説明】
【技術分野】
【０００１】
本発明は、建物の屋根の軒先に用いられる軒樋用吊り具及び軒先構造に関する。
【背景技術】
【０００２】
例えば建物の屋根の軒先には、該軒先に沿って伸び、瓦のような屋根仕上材から流れ落ちる雨水を受けるための軒樋が取り付けられている。また、軒先には、屋根仕上材から軒樋に流れ落ちる雨水が野地板のような屋根下地材の軒先端部に付着することを防止するための水切り部材が設けられている。水切り部材は、軒先に沿って伸びる板状をなし、該水切り部材は屋根仕上材及び野地板間から軒樋内に向けて野地板の軒先端部を覆うように垂れ下がっている。屋根仕上材から流れ落ちる雨水の一部が水切り部材により軒樋に向けて案内されるので、屋根仕上材から流れ落ちる雨水が野地板に付着することが防止される。これにより、雨水が野地板に付着することによる野地板の腐食を防止することができる。
【０００３】
水切り部材を可撓性のある材料で形成することで、軒樋の取付作業及び取外し作業の妨げとなることなく雨水の跳ね返り及び舞い上がりを防止することができる軒先水切りが提案されている（例えば、特許文献１参照）。
【０００４】
水切り部材が可撓性を有することから、水切り部材が風を受けたとき、水切り部材はその垂れ下がり方向すなわち幅方向で互いに対向する両縁部が互いに近づく方向又は長手方向で互いに対向する両端部が互いに近づく方向に容易に変形するため、この変形により水切り部材に大きなばたつきが生じ易い。水切り部材のばたつきを防止するために水切り部材の自由端である下端を例えば軒樋に固定することが考えられる。
【特許文献１】特開平６−１０８５９７号公報
【発明の開示】
【発明が解決しようとする課題】
【０００５】
上述した軒樋用吊り具を用いた軒先構造では、次のような問題があった。すなわち、軒先端部の屋根仕上材の突出量、軒樋の取付位置はその地方の雨量・積雪量、その家屋の向きによって適宜変更されるため、水切り部材の先端位置は様々である。このため、軒先構造や軒樋の取付位置、水切り部材の先端位置が異なると、それぞれ専用の吊り具が必要となり、部品コストが高くなるとともに、僅かな位置調整にも対応できず作業性が低かった。
【０００６】
そこで、本発明は、軒先構造や軒樋の取付位置、水切り部材の先端位置が異なっても１つの同じ吊り具で対応できる軒樋用吊り具及び軒先構造を提供することを目的としている。
【課題を解決するための手段】
【０００７】
前記課題を解決し目的を達成するために、本発明の軒樋用吊り具及び軒先構造は次のように構成されている。
【０００８】
破風部材に取り付けるための取付板部と、この取付板部から前記破風部材から離間する方向に延設された支持アームと、この支持アームの両端側にそれぞれ設けられ、それぞれ軒樋の前縁と後縁とを係止する係止部と、前記支持アームに、前記破風部材に対して垂直方向に形成された長孔と、この長孔に沿って往復動自在にスライダと、このスライダに設けられ、水切り部材の下端が挿入されるガイドと、前記スライダを前記長孔の任意の位置に固定する固定部材とを備えていることを特徴とする。
【０００９】
鉛直方向に配置された破風部材と、この破風部材の上部に設けられた野地板と、この野地板の上部に設けられた屋根仕上材と、その上端側を前記野地板と前記屋根仕上材との間に配置され、その下端側を軒先に向けて突出させた配置された水切り部材と、前記破風部材の外壁側に配置された軒樋と、前記破風部材に設けられ、前記水切り部材の下端と支持するとともに、前記軒樋を支持する軒樋用吊り具を具備し、前記軒樋用吊り具は、前記破風部材に取り付けるための取付板部と、この取付板部から前記破風部材から離間する方向に延設された支持アームと、この支持アームの両端側にそれぞれ設けられ、それぞれ軒樋の前縁と後縁とを係止する係止部と、前記支持アームに、前記破風部材に対して垂直方向に形成された長孔と、この長孔に沿って往復動自在にスライダと、このスライダに設けられ、水切り部材の下端が挿入されるガイドと、前記スライダを前記長孔の任意の位置に固定する固定部材とを備えていることを特徴とする。
【発明の効果】
【００１０】
本発明によれば、軒先構造や軒樋の取付位置、水切り部材の先端位置が異なっても１つの同じ吊り具で対応することが可能となる。
【発明を実施するための最良の形態】
【００１１】
図１は本発明の一実施の形態に係る軒樋用吊り具５０が適用された軒先構造１０を示す断面図、図２は軒樋用吊り具５０を示す斜視図、図３〜図５は様々な軒先構造に対応して軒樋用吊り具５０を変更した状態を示す断面図である。
【００１２】
軒先構造１０は、家屋の上部の傾斜面に設置された野地板１１と、この野地板１１の表面を被覆するアスファルトルーフィング等の防水層１２と、これらの上部に設けられた瓦や折板などの屋根仕上材１３と、家屋の壁材に設けられた破風部材１４とによって主に家屋側が構成されている。
【００１３】
破風部材１４には、後述する軒樋２０を屋根先端部付近に設置させるための軒樋用吊り具５０が、屋根先端部の水平延設方向（図１の図面奥行き方向）に間隔を置いて複数取り付けられており、その軒樋用吊具５０に軒樋２０を取り付けて支持させる。
【００１４】
軒樋２０は、図１に示すように、断面凹状に形成された樋本体２１と、樋本体２１の前縁に形成された前縁係合部２２と、後縁に形成された後縁係合部２３とを備え、前縁係合部２２が軒樋用吊り具５０の前縁係止部５４、後縁係合部２３が軒樋用吊り具５０の後縁係止部５３を介して破風部材１４に支持されている。
【００１５】
野地板１１の先端からこの軒樋２０に向けてアルミ板、鋼板、樹脂材等によって形成された水切り材３０が、野地板１１の先端や破風部材１４の上部を覆うように配置されている。水切り部材は、雨水の跳ね返り及び舞い上がりを防止するとともに、外側からの美観を保持するための飾り部材としての機能も有している。水切り部材３０の下端３１は、軒樋用吊り具５０のガイド５７に挿入され、下端３１のがたつきを防止する。
【００１６】
軒樋用吊り具５０は、破風部材１４に取り付けるための取付板部５１と、この取付板部５１から破風部材１４から離間する方向に延設された支持アーム５２とを備えている。取付板部５１であって支持アーム５２の下には後縁係止部５３が形成されている。また、支持部材５２の先端側には前縁係止部５４が取り付けられている。
【００１７】
また、支持アーム５２には、破風部材１４に対して垂直方向に長孔５５が形成され、この長孔５５に沿って往復動自在にスライダ５６が設けられている。スライダ５６には、水切り部材３０の下端３１が挿入されるガイド５７が設けられている。また、スライダ５６は、長孔５５に対しボルト・ナット（固定部材）５８により任意の位置に固定することができる。
【００１８】
このように構成された軒樋用吊り具５０を有する軒先構造１０では、次のように軒樋２０及び水切り部材３０の固定を行う。まず、野地板１１と屋根仕上材１３との間に水切り部材３０を挟み込む。次に、軒樋２０が所望の高さ位置となるように、取付板部５１を破風部材１４に取り付ける。水切り部材３０は可撓性を有しているため、容易にめくりあげることができ、取付作業は容易となる。
【００１９】
次に、水切り部材３０の下端３１がガイド５７に挿入し、水切り部材３０が適切な方向に向くようにスライダ５６の位置を調節し、適切な方向となった状態でボルト・ナット５８により固定する。
【００２０】
最後に、軒樋２０の前縁係合部２２を軒樋用吊り具５０の前縁係止部５４に、後縁係合部２３を軒樋用吊り具５０の後縁係止部５３に係止することで、軒樋２０を固定する。
【００２１】
図３〜図５は、屋根仕上材１３の突出量、軒樋２０の取付位置、水切り部材３０の突出量が異なる場合において、同じ軒樋用吊り具５０を用いて、水切り部材３０の下端３１の固定及び軒樋２０の支持を行った例を示す断面図である。
【００２２】
このように、水切り部材３０の下端３１の位置に対応してガイド５７の位置を調節することができるので、軒先構造や軒樋２０の取付位置が異なっても１つの吊り具で水切り部材３０の固定と、軒樋２０の支持を行うことができる。
【００２３】
したがって、部品コストを低減することができるとともに、僅かな位置調整にも対応でき、作業性を高めることができる。また、軒樋２０が劣化したり破損したりして交換が必要になった場合も、容易に交換作業をおこなうことができる。
【００２４】
さらに、ユニット建物のように防水層１２、屋根仕上材１３、水切り部材３０の取り付けを工場でおこなう場合であっても、建築現場で容易に軒樋２０を取り付けることができる。
【００２５】
なお、本発明は前記実施の形態に限定されるものではなく、本発明の要旨を逸脱しない範囲で種々変形実施可能であるのは勿論である。
【図面の簡単な説明】
【００２６】
【図１】本発明の一実施の形態に係る軒樋用吊り具が組み込まれた軒先構造を示す断面図。
【図２】同軒樋用吊り具を示す斜視図。
【図３】同軒先構造の別の例を示す断面図。
【図４】同軒先構造の別の例を示す断面図。
【図５】同軒先構造の別の例を示す断面図。
【符号の説明】
【００２７】
１０…軒先構造、１１…野地板、１２…防水層、１３…屋根仕上材、１４…破風部材、２０…軒樋、２２…前縁係合部、２３…後縁係合部、３０…水切り材、３１…下端、５０…軒樋用吊り具、５１…取付板部、５２…支持アーム、５３…後縁係止部、５４…前縁係止部、５５…長孔、５６…スライダ、５７…ガイド、５８…ボルト・ナット。
【図１】
2008174945.tif 000003
【図２】
2008174945.tif 000004
【図３】
2008174945.tif 000005
【図４】
2008174945.tif 000006
【図５】
2008174945.tif 000007